(57)【要約】【課題】収納性に優れ、しかも自由な場所で体重を測定できる体重計を提供する。【解決手段】右足乗せ台１と左足乗せ台２とを有し、その足乗せ台にかかる荷重を検出してその荷重に応じた信号を出力する圧力センサを右足乗せ台１と左足乗せ台２に設け、右足乗せ台１と左足乗せ台２とを互いに回動自在に連結して重ね合わせ可能となし、圧力センサからの信号に基づいて体重を算出する演算装置と、その演算装置が算出した体重を表示する表示装置１３とを設けた折りたたみ式体重計を提供する。【選択図】図１
2006177880.tif 000002
【特許請求の範囲】
【請求項１】
右足と左足を別々に乗せる１対の足乗せ台を有し、前記足乗せ台にかかる荷重を検出してその荷重に応じた信号を出力する荷重検出手段を各々の前記足乗せ台に設け、その足乗せ台を互いに回動自在に連結して足乗せ台同士を重ね合わせ可能となし、各々の前記荷重検出手段からの前記信号に基づいて体重を算出する演算部と、その演算部が算出した体重を表示する表示部とを設けた折りたたみ式体重計。
【請求項２】
前記足乗せ台を左右対称に配置し、その対称軸と平行なヒンジ軸で前記足乗せ台を互いに連結した請求項１に記載の折りたたみ式体重計。
【請求項３】
前記足乗せ台を重ね合わせた状態で重なり合う貫通開口を各々の前記足乗せ台に形成し、重なり合った前記貫通開口でドアノブ等の突起に吊り下げ可能となした請求項１または２に記載の折りたたみ式体重計。
【請求項４】
前記足乗せ台の前記貫通開口を除く上面に、着脱自在の足乗せカバーを設けた請求項３に記載の折りたたみ式体重計。
【発明の詳細な説明】
【技術分野】
【０００１】
この発明は、コンパクトに折りたたむことができ、収納が容易な体重計に関する。
【背景技術】
【０００２】
体重計は、不使用時に床の上に置いたままにしておくことが多く、掃除の邪魔となりやすい。そこで、不使用時に邪魔にならない体重計として、両足が乗るベースと、脱衣所や洗面所の側壁下部に固定するベース格納枠を有し、ベースの前端とベース格納枠の下端とを回動自在に連結した体重計が提案されている（特許文献１）。この体重計は、ベース格納枠からベースを手前に回動させて床に倒し、そのベースの上に両足を乗せて使用する。また不使用時には、ベースを起こしてベース格納枠に格納することができるようになっている。
【０００３】
しかし、この体重計はベース格納枠を壁に固定するので、固定したベース格納枠の前に物があるとベースを倒すことができず、体重を測定することができない。そのため、ベース格納枠の前は空けておく必要があり、物を置くことができなかった。また、体重を測定する場所が、ベース格納枠を固定した壁の前に固定されてしまい、自由な場所で体重を測定することができなかった。
【０００４】
【特許文献１】特開平７−１９８４６８号公報
【発明の開示】
【発明が解決しようとする課題】
【０００５】
この発明が解決しようとする課題は、収納性に優れ、しかも自由な場所で体重を測定できる体重計を提供することである。
【課題を解決するための手段】
【０００６】
上記の課題を解決するために、右足と左足を別々に乗せる１対の足乗せ台を有し、前記足乗せ台にかかる荷重を検出してその荷重に応じた信号を出力する荷重検出手段を各々の前記足乗せ台に設け、その足乗せ台を互いに回動自在に連結して足乗せ台同士を重ね合わせ可能となし、各々の前記荷重検出手段からの前記信号に基づいて体重を算出する演算部と、その演算部が算出した体重を表示する表示部とを設けた折りたたみ式体重計を提供する。
【０００７】
この折りたたみ式体重計は、次の構成を加えるとより好ましいものとなる。
１）前記足乗せ台を左右対称に配置し、その対称軸と平行なヒンジ軸で前記足乗せ台を互いに連結する。
２）前記足乗せ台を重ね合わせた状態で重なり合う貫通開口を各々の前記足乗せ台に形成し、重なり合った前記貫通開口でドアノブ等の突起に吊り下げ可能となす。
３）前記足乗せ台の前記貫通開口を除く上面に、着脱自在の足乗せカバーを設ける。
【発明の効果】
【０００８】
不使用時は、足乗せ台同士を重ね合わせることにより小形化できるので、容易に収納することができ、邪魔にならない。また、折りたたんで持ち運ぶことができるので、自由な場所で体重を測定することができる。その他の作用効果は次欄で詳しく述べる
【発明を実施するための最良の形態】
【０００９】
図１に、この発明の折りたたみ式体重計の実施形態を示す。この体重計は、右足を乗せる右足乗せ台１と、左足を乗せる左足乗せ台２とを有する。右足乗せ台１は、右足乗せ台１と一体の右アーム３、表示器４、左足乗せ台２と一体の左アーム５を順に介して左足乗せ台２と連結されている。
【００１０】
右足乗せ台１と左足乗せ台２は、図２（ａ）に示すように左右対称に配置されている。右アーム３は、左端が表示器４に固定されており、一方、左アーム５は、右端が分岐して表示器４を側面から挟んでいる。表示器４を挟む各分岐部６ａ、６ｂには、ヒンジ軸７ａ、７ｂが足乗せ台の対称軸と平行に取り付けられており、このヒンジ軸７ａ、７ｂは表示器４に回動自在に支持されている。表示器４は、図２（ｂ）に示すようにドーム状に形成されており、回動する左アーム５と干渉しないようになっている。そのため、図３に示すように、ヒンジ軸７ａ、７ｂを中心として左足乗せ台２を回動させて右足乗せ台１に重ね合わせることができる。
【００１１】
また右足乗せ台１と左足乗せ台２には、図１に示すように上下に貫通する貫通開口８、９がそれぞれ形成されている。この貫通開口８、９は、左足乗せ台２を右足乗せ台１に重ね合わせると図４に示すように重なり合う。そのため、折りたたんだ体重計は、ドアノブ等の突起に貫通開口８と９を引っ掛けて吊り下げることができる。体重計を吊り下げておくと、視界に体重計が入りやすくなり、定期的に体重を測定することが容易となる。しかも、吊り下げた体重計は場所をとらず、邪魔にならない。
【００１２】
右足乗せ台１には、図５に示すように圧力センサ１１が組み込まれている。圧力センサ１１は、検知した荷重に応じた信号を出力し、その出力信号は表示器４の内部に組み込まれた演算装置１０に入力される。左足乗せ台２にも同様の圧力センサ１２が組み込まれており、その圧力センサ１２からの出力信号も演算装置１０に入力される。
【００１３】
演算装置１０は、圧力センサ１１および１２からの各信号に基づいて体重を算出し、算出した体重に対応する信号を出力する。この出力信号は、表示器４の上面に組み込まれた表示装置１３に入力され、入力された信号に基づいて表示装置１３が体重をデジタル表示する。
【００１４】
なお、圧力センサ１２と演算装置１０の間の配線は、たとえば図６に示すように、ヒンジ軸７ａを表示器４の内側に突出させて設け、そのヒンジ軸７ａの軸端に配線孔１４を形成し、その配線孔１４を左アームの分岐部６ａに形成した配線路１５と連通させ、この配線孔１４および配線路１５に信号線１６を通して行なうことができる。
【００１５】
右足乗せ台１と左足乗せ台２には、図７に示すようにその上面に足乗せカバー１７が取り付けられている。この足乗せカバー１７は、各足乗せ台の貫通開口８、９に対応する孔１８を有しており、足乗せカバー１７を取り付けた状態で体重計をドアノブ等に吊り下げることができるようになっている。この足乗せカバー１７は着脱自在にしたものが好ましい。このようにすれば、足乗せカバー１７を洗浄あるいは交換して体重計を清潔に保つことができる。また、色や材質あるいは足裏と接触する面の形状などが異なる数種類の足乗せカバー１７を選択的に使用すると、体重計のデザインをユーザーの好みに合わせることができる。
【００１６】
この体重計は、不使用時には右足乗せ台１と左足乗せ台２とを互いに重ね合わせて小形化することができるので、容易に収納することができ、邪魔にならない。また、折りたたんだ体重計は持ち運ぶことができるので、自由な場所で体重を測定することができる。
【００１７】
右足乗せ台１と左足乗せ台２との連結は、図８に示すようにそれぞれ回動自在に接続した右アーム３、表示器４、左アーム５を介して行なって、右足乗せ台１が表示器４を介して左足乗せ台２に重なり合うようにしてもよく、図９に示すように表示器４の上側に右足乗せ台１と左足乗せ台２とが重なり合うようにしてもよい。また、図１０に示すように、右足乗せ台１と左足乗せ台２とを互いにピボット結合し、左足乗せ台２を床面と平行に回動させて右足乗せ台１に重なり合うようにもよい。要は、右足乗せ台１と左足乗せ台２とを互いに回動させて重ね合わせることができればよい。
【図面の簡単な説明】
【００１８】
【図１】この発明の実施形態の体重計の全体図
【図２】（ａ）は同上の体重計の平面図、（ｂ）は同上の体重計の正面図
【図３】同上の体重計を折りたたむ動作を示す図
【図４】同上の体重計を折りたたんだ状態を示す図
【図５】同上の体重計の信号系統概略図
【図６】ヒンジ部の配線の一例を示す図
【図７】同上の体重計の足乗せカバーを説明する図
【図８】同上の体重計の変形例を示す図
【図９】同上の体重計の他の変形例を示す図
【図１０】同上の体重計のさらに他の変形例を示す図であり、（ａ）はその平面図、（ｂ）はその正面図
【符号の説明】
【００１９】
１          右足乗せ台
２          左足乗せ台
７ａ、７ｂ  ヒンジ軸
８、９      貫通開口
１０        演算装置
１１、１２  圧力センサ
１３        表示装置
１７        足乗せカバー
【図１】
2006177880.tif 000003
【図２】
2006177880.tif 000004
【図３】
2006177880.tif 000005
【図４】
2006177880.tif 000006
【図５】
2006177880.tif 000007
【図６】
2006177880.tif 000008
【図７】
2006177880.tif 000009
【図８】
2006177880.tif 000010
【図９】
2006177880.tif 000011
【図１０】
2006177880.tif 000012